(57)【要約】      （修正有）【課題】従来技術の欠点に鑑み、それら問題点を解決する、ヘルメットのシールド係止構造を提供する。【解決手段】ヘルメット３のシールド係止構造であって、シールド取付座４、係止孔５、シールド６を含むヘルメットに取り付けられる、シールド係止具１及び化粧カバー８を備え、前記シールド係止具は、その裏側に係止部材２が設置され、該係止部材が、ヘルメットの片側のシールド取付座における、対応する前記係止孔に嵌挿可能であることから、シールドが、その対応する片側のシールド取付座に係止され、該シールド係止具上に第１連結部が設けられ、前記化粧カバーは、ヘルメットのシールドの片側の形状に沿って、シールドの片側を局部的に覆うと共に、その裏側に、前記シールド係止具の第１連結部と対応する、第２連結部が設けられる。【選択図】図１
0003225074.tif 000002
【実用新案登録請求の範囲】
【請求項１】
ヘルメットのシールド係止構造であって、シールド取付座、係止孔、シールドを含むヘルメットに取り付けられる、シールド係止具及び化粧カバーを備え、
前記シールド係止具は、その裏側に係止部材が設置され、該係止部材が、ヘルメットの片側のシールド取付座における、対応する前記係止孔に嵌挿可能であることにから、シールドが、その対応する片側のシールド取付座に係止され、該シールド係止具上に第１連結部が設けられ、
前記化粧カバーは、ヘルメットのシールドの片側の形状に沿って、シールドの片側を局部的に覆うと共に、その裏側に、前記シールド係止具の第１連結部と対応する、第２連結部が設けられることを特徴とするヘルメットのシールド係止構造。
【請求項２】
前記シールド係止具の第１連結部が、少なくとも一つの嵌合孔であり、前記化粧カバーの第２連結部が、該嵌合孔と対応する、少なくとも一つの嵌合ピンであることを特徴とする前記請求項１に記載のヘルメットのシールド係止構造。
【請求項３】
前記シールド係止具が、前記化粧カバーと一体成型されることを特徴とする前記請求項１に記載のヘルメットのシールド係止構造。
【請求項４】
前記シールド係止具と化粧カバーとを螺合する少なくとも二つのネジをさらに備え、
該シールド係止具の第１連結部が、少なくとも二つの貫通孔であり、該化粧カバーの第２連結部が、該貫通孔と対応する、少なくとも二つのネジ孔であることを特徴とする前記請求項１に記載のヘルメットのシールド係止構造。
【請求項５】
前記嵌合ピンに、拡張弾性を持たせるため、該嵌合ピンの長手方向に少なくとも一つの切り欠き部が設けられることを特徴とする前記請求項２に記載のヘルメットのシールド係止構造。
【請求項６】
前記嵌合ピンは、片方の端部の両側に、少なくとも一つの突起が形成され、前記嵌合孔内の両側に、該突起と対応する、少なくとも一つの凹部が形成されることを特徴とする前記請求項２に記載のヘルメットのシールド係止構造。
【請求項７】
前記嵌合孔が、前記シールド係止具の片側面に設けられ、前記嵌合ピンが、前記化粧カバーの裏側面における、該嵌合孔の位置と対応する箇所に設けられることを特徴とする前記請求項２に記載のヘルメットのシールド係止構造。
【請求項８】
前記嵌合孔が、前記シールド係止具の表側面に設けられ、前記嵌合ピンが、前記化粧カバーの裏側面における、該嵌合孔の位置と対応する箇所に設けられることを特徴とする前記請求項２に記載のヘルメットのシールド係止構造。
【考案の詳細な説明】
【技術分野】
【０００１】
本考案は、ヘルメットのシールド係止構造に関するものである。
【背景技術】
【０００２】
従来技術のヘルメットのシールドは、左右それぞれの円盤状のシールド係止具を利用してヘルメットに固定され、該左右のシールド係止具の裏側にそれぞれ、係止部材が設けられ、ヘルメットの左右両側のシールド取付座における係止孔に、それら係止部材をそれぞれ挿入して回動させ（回動角度は約３０°）、それら係止部材を係止孔に係止することにより、シールドの左右両側を、左右のシールド取付座に係止するが、従来技術のシールド係止構造には、以下に示すような欠点を有する。
第１に、係止部材を回動させて係止するために、使用者が親指や人差し指、中指で該係止部材を緩めたり閉じたりできるように、円盤状のシールド係止具上に線状突起や溝を設ける必要があるが、該円盤状のシールド係止具の体積が小さく、力が入りにくいので、指先が痛くなり、該係止部材を緩めたり閉じたりし難い。
第２に、ヘルメットのシールドは、その両側が最も弱い部分であることから、衝突や事故により、破損したり脱離したりすることがよくあるので、使用者の顔を保護できない場合がある。
第３に、シールドは透明であることから、シールド取付座の内部構造が外側から見えてしまうので、ヘルメットの外観性を損なう。
【考案の概要】
【考案が解決しようとする課題】
【０００３】
本考案は、前記の従来技術の欠点に鑑みてなされたものであり、それら問題点を解決する、ヘルメットのシールド係止構造を提供することを目的としている。
【課題を解決するための手段】
【０００４】
上記目的を達成するために、本考案に係る好適な解決手段は（図１から図６を参照）、ヘルメットのシールド係止構造であって、シールド取付座４、係止孔５、シールド６を含むヘルメット３に取り付けられる、シールド係止具１及び化粧カバー８を備え、
前記シールド係止具１は、その裏側に係止部材２が設置され、該係止部材２が、ヘルメット３の片側のシールド取付座４における、対応する前記係止孔５に嵌挿かのであることから、シールド６が、その対応する片側のシールド取付座４に係止され、該シールド係止具１上に第１連結部７が設けられ、
前記化粧カバー８は、ヘルメット３のシールド６の片側の形状に沿って、シールド６の片側を局部的に覆うと共に、その裏側に、前記シールド係止具１の第１連結部７と対応する、第２連結部９が設けられることを特徴とする。
【０００５】
さらに、図２〜４に示すように、前記シールド係止具１の第１連結部７が、少なくとも一つの嵌合孔であってもよく、前記化粧カバー８の第２連結部９が、該嵌合孔と対応する、少なくとも一つの嵌合ピンであってもよい。
【０００６】
さらに、図５、６に示すように、前記シールド係止具１が、前記化粧カバー８と一体成型されてもよい。
【０００７】
さらに、図７〜９に示すように、本考案は、前記シールド係止具１と化粧カバー８とを螺合する、少なくとも二つのネジ１０をさらに備えてもよく、該シールド係止具１の第１連結部７が、少なくとも二つの貫通孔であってもよく、該化粧カバー８の第２連結部９が、該貫通孔と対応する、少なくとも二つのネジ孔であってもよく、該少なくとも二つのネジ１０が、該少なくとも二つの貫通孔を通って、該少なくとも二つのネジ孔に螺合されることにより、該シールド係止具１が化粧カバー８と連結される。
【０００８】
さらに、図２〜４に示すように、前記嵌合ピンに、拡張弾性を持たせるため、該嵌合ピンの長手方向に少なくとも一つの切り欠き部が設けられてもよい。
【０００９】
さらに、図２〜４に示すように、前記嵌合ピンは、片方の端部の両側に、少なくとも一つの突起が形成されてもよく、前記嵌合孔内の両側に、該突起と対応する、少なくとも一つの凹部が形成されてもよく、該嵌合ピンは、該嵌合孔と組み合わされて、互いに係止固定される。
【００１０】
さらに、図２〜４に示すように、前記嵌合孔が、前記シールド係止具１の片側面に設けられてもよく（その開口が側面に設けられ）、前記嵌合ピンが、前記化粧カバー８の裏側面における、該嵌合孔の位置と対応する箇所に設けられてもよい。
【００１１】
さらに、前記嵌合孔が、前記シールド係止具１の表側面に設けられてもよく（その開口が表側面に設けられ）、前記嵌合ピンが、前記化粧カバー８の裏側における、該嵌合孔の位置と対応する箇所に設けられてもよい。
【考案の効果】
【００１２】
上記の技術手段によって、本考案に係るヘルメットのシールド係止構造は、少なくとも以下の優れた点を有する。
第１に、化粧カバー８をテコのレバーとすることで、テコの原理により、シールド係止具１を簡単に回すことができるので、使用者はより簡単に、かつ迅速に手間をかけずに、シールド６の取り付け取り外しが可能となるので、長きに亘る従来技術の問題を解決した。
第２に、化粧カバー８が、シールド取付座４の内部構造を外側から遮蔽することで、シールド６が透明であるにもかかわらず、シールド取付座４の内部構造が外側から見えなくなるので、ヘルメット３の外観デザインが向上する。
第３に、化粧カバー８が最も外側に配置されることにより、シールド６の両側を守っていることから、衝撃によりシールド６の破損を防止することができる。
第４に、化粧カバー８が、シールド係止具１と一体成型されることで、構造を簡単化して、製造コストを抑えることができる。
【図面の簡単な説明】
【００１３】
【図１】本考案の第１実施例の側面図である。
【図２】本考案の第１実施例における、化粧カバーとシールド係止具を示す分解図である。
【図３】本考案の第１実施例における、化粧カバーとシールド係止具を示す分解図である。
【図４】本考案の第１実施例における、化粧カバーとシールド係止具を組み合わせた状態を示す模式図である。
【図５】本考案の第２実施例における、化粧カバーとヘルメットを示す分解図である。
【図６】本考案の第２実施例における、化粧カバーとヘルメットを組み合わせた状態を示す模式図である。
【図７】本考案の第３実施例における、化粧カバーとシールド係止具を示す分解図である。
【図８】本考案の第３実施例における、化粧カバーとシールド係止具を示す分解図である。
【図９】本考案の第３実施例における、化粧カバーとシールド係止具を組み合わせた状態を示す模式図である。
【考案を実施するための形態】
【００１４】
以下、図面に合わせて本考案の好適な実施例を説明し、本考案が予定の創作目的を達成するために取られた技術的手段をさらに述べる。
【００１５】
図１〜図４は、本考案のヘルメットのシールド係止構造の第１実施例であり、シールド取付座４、係止孔５、シールド６を含むヘルメット３に取り付けられる、シールド係止具１と化粧カバー８を有し、前記シールド係止具１は、その裏側に係止部材２が設置され、該係止部材２を、ヘルメット３の片側のシールド取付座４における、対応する前記係止孔５に嵌挿して回動させ（回動角度は約３０°）、該係止部材２を該係止孔５に係止することにより、前記シールド６を、対応する片側のシールド取付座４に係止し、また、該シールド係止具１上に第１連結部７が設けられる。尚、本実施例においては、前記第１連結部７が嵌合孔であり、該嵌合孔が、前記シールド係止具１の片側面に設けられる（その開口は側面に設けられる）。前記化粧カバー８は、その裏側に、前記シールド係止具１の第１連結部７と対応する、第２連結部材９が設けられる。尚、本実施例においては、前記第２連結部９が嵌合ピンであり、該嵌合ピンに拡張弾力性を持たせるため、該嵌合ピンの長手方向に切り欠き部が設けられ、該嵌合ピンは、片側の先端に近い両側に、少なくとも一つの突起が形成され、前記嵌合孔内の両側に、該突起と対応する、少なくとも一つの凹部が形成されることにより、該嵌合ピンを、該嵌合孔と組み合わせた後、互いに係止されるので、脱落を防止できる。また、前記化粧カバー８が、該シールド６の片側の形状に沿って、シールド６の片側を局部的に覆うことで、該化粧カバー８が、前記シールド取付座４の内部構造を遮蔽することから、該シールド取付座４の内部構造が外側から見えなくなるので、ヘルメット３の外観デザインが向上する。
【００１６】
図５、図６は、本考案のヘルメットのシールド係止構造の第２実施例であり、上述した第１実施例の拡張考案であって、前記シールド係止具１を、前記化粧カバー８と一体成型することで、構造が簡素化されるので、製造コストを抑えることができる。
【００１７】
図７〜図９は、本考案のヘルメットのシールド係止構造の第３実施例であり、上述した第１実施例の拡張考案であって、前記シールド係止具１と化粧カバー８とを螺合する、少なくとも二つのネジ１０をさらに備え、該シールド係止具１の第１連結部７が、少なくとも二つの貫通孔であり、該化粧カバー８の第２連結部が、該貫通孔１１と対応する、少なくとも二つのネジ孔であり、該少なくとも二つのネジ１０が、該第１連結部７の少なくとも二つの貫通孔を通って、該化粧カバー８の少なくとも二つのネジ孔に螺合されることで、該シールド係止具１が化粧カバー８と連結され、この構成によれば、両者の結合強度が高まる。
【符号の説明】
【００１８】
１  シールド係止具
２  係止部材
３  ヘルメット
４  シールド取付座
５  係止孔
６  シールド
７  第１連結部
８  化粧カバー
９  第２連結部
１０  ネジ
【図１】
0003225074.tif 000003
【図２】
0003225074.tif 000004
【図３】
0003225074.tif 000005
【図４】
0003225074.tif 000006
【図５】
0003225074.tif 000007
【図６】
0003225074.tif 000008
【図７】
0003225074.tif 000009
【図８】
0003225074.tif 000010
【図９】
0003225074.tif 000011